(57)【要約】【課題】  同一の種類や異なる種類の布団でも重ね合わせる場合に容易に上下の布団を支持固定でき、しかも、布団自体を回転させることなく、容易に連結作業が行なえること。【解決手段】  肌布団２０の四隅に並設したオスボタン３０とメスボタン４０をそれぞれ装着する。肌布団２０の下面側がオスボタン３０とメスボタン４０のオス接合部３０ｂとメス接合部４０ｂとなる。２枚の肌布団２０同士を重ね合わせる場合、下側の肌布団２０のコーナー部分を折り返してオス接合部３０ｂとメス接合部４０ｂを上面にする。上側のオスボタン３０のオス接合部３０ｂと下側のメスボタン４０のメス接合部４０ｂを嵌着させることで、肌布団２０と肌布団２０といった同一の布団を支持固定することができる。【選択図】        図７
2006020826.tif 000002
【特許請求の範囲】
【請求項１】
上下２枚の布団を重ね合わせて上下に対向したボタン同士を着脱自在に嵌着させるようにした布団の重ね合わせ支持装置において、
前記布団の周縁に一対の並設したオスボタン（３０）とメスボタン（４０）とを少なくとも１カ所以上配置していることを特徴とする布団の重ね合わせ支持装置。
【請求項２】
上下２枚の布団を重ね合わせて上下に対向したボタン同士を着脱自在に嵌着させるようにした布団の重ね合わせ支持装置において、
前記布団の一方の面にはオス接合部（５０ａ）が面し、他方の面にはメス接合部（５０ｂ）が面するオス・メス両用ボタン（５０）を該布団の周縁に少なくとも１カ所以上配置していることを特徴とする布団の重ね合わせ支持装置。
【請求項３】
上下２枚の布団を重ね合わせて上下に対向したボタン同士を着脱自在に嵌着させるようにした布団の重ね合わせ支持装置において、
一方の布団の周縁に一対の並設したオスボタン（３０）とメスボタン（４０）とを少なくとも１カ所以上配置し、
他方の布団の一方の面にはオス接合部（５０ａ）が面し、他方の面にはメス接合部（５０ｂ）が面するオス・メス両用ボタン（５０）を該布団の周縁に少なくとも１カ所以上配置していることを特徴とする布団の重ね合わせ支持装置。
【請求項４】
前記２枚の布団の一方を掛布団（１０）とし、他方の布団を肌布団（２０）としていることを特徴とする請求項１〜請求項３のいずれかに記載の布団の重ね合わせ支持装置。
【請求項５】
前記２枚の布団を共に肌布団（２０）としていることを特徴とする請求項１〜請求項３のいずれかに記載の布団の重ね合わせ支持装置。
【請求項６】
前記一対の並設したオスボタン（３０）とメスボタン（４０）を布団の四隅にそれぞれ配置していることを特徴とする請求項１〜請求項５のいずれかに布団の重ね合わせ支持装置。
【請求項７】
前記オス・メス両用ボタン（５０）を布団の四隅にそれぞれ配置していることを特徴とする請求項１〜請求項５のいずれかに布団の重ね合わせ支持装置。
【発明の詳細な説明】
【技術分野】
【０００１】
本発明は、掛布団と肌布団といった異なる種類の布団同士、肌布団と肌布団といった同一の種類の布団同士を着脱自在に重ね合わせる布団の重ね合わせ支持装置に関するものである。
【背景技術】
【０００２】
冬季以外では掛布団を１枚、あるいは肌布団を１枚だけ使用して寝るが、寒くなる冬季では、肌布団の上に掛布団を掛けて２枚重ねとしたり、あるいは肌布団を２枚重ね合わせて寝る場合がある。ここで、掛布団は肌布団より少し厚めの布団をいう。布団を２枚重ね合わせると、寝返りなどで上下の布団がずれてしまうので、従来よりボタンで上下の布団を支持固定することが行なわれている。
【０００３】
図２４は、かかる場合の掛布団１０と肌布団２０を並設した状態を示し、肌布団２０の上に掛布団１０をボタンにて両者を着脱自在に装着するものである。なお、実際には肌布団２０の上に掛布団１０を重ね合わせるが説明の便宜上掛布団１０と肌布団２０とを並設した状態の図で描いている。
【０００４】
掛布団１０の四隅にはオスボタン３０が装着されており、このオスボタン３０の記号として○印の中に×印を書いている。オスボタン３０の偏平な頭部３０ａは掛布団１０の表面に位置し、掛布団１０の裏面に相手のメスボタンと結合するオス接合部３０ｂが位置している。
また、肌布団２０の四隅には前記オスボタン３０と結合するメスボタン４０が装着されていて、このメスボタン４０の上面に前記オスボタン３０のオス接合部３０ｂと結合するメス接合部４０ｂが肌布団２０の上面に位置している。このメス接合部４０ｂを○印の中に多数のドットを描いている。また、メスボタン４０の偏平な頭部４０ａは肌布団２０の下面に位置している。
【０００５】
このように従来では図２５に示すように、肌布団２０の表面側にメスボタン４０のメス接合部４０ｂを配し、掛布団１０の裏面側にオスボタン３０のオス接合部３０ｂを配し、オス接合部３０ｂとメス接合部４０ｂとを接合することで、肌布団２０と掛布団１０を結合している。
そして、布団の四隅のオスボタン３０とメス接合部４０ｂとが接合していることで、肌布団２０の上に掛布団１０を重ね合わせても、布団がずれるのを防止するようにしている。これにより、冬場で特に寒い日であっても温かく寝ることができる。
【０００６】
しかし、肌布団２０と、この肌布団２０より厚めの掛布団１０を重ね合わせると暑くなり、肌布団２０あるいは掛布団１０を１枚だけ使用するには寒い場合には、肌布団２０を２枚重ね合わせて使用したい場合が生じる。
ところが、図２６に示すように、肌布団２０にはメスボタン４０しか取り付けられておらず、メスボタン４０同士は結合することができず、２枚の肌布団２０同士を支持固定することができないという問題が生じる。
【０００７】
なお、掛布団１０や肌布団２０は、同一の仕様、すなわち、掛布団１０にはオスボタン３０、肌布団２０にはメスボタン４０といった同一の仕様で生産し、在庫管理などの負担増加を防止するために、仕様の異なるものは生産しないことから発生する問題である。
【０００８】
そこで、肌布団２０といった同一の種類の布団同士でも２枚を重ね合わせて支持固定するようにしたのが、例えば、下記の特許文献１である。
【０００９】
【特許文献１】特開平１１−７６０２６号公報
【００１０】
この特許文献１に記載の技術は、掛布団や肌布団などの布団の周縁に雄ボタンと雌ボタンとを固定し、該布団を１８０°回転させて回転前の布団に対向させた場合に、回転前と回転後の布団の雄ボタンと雌ボタンとが、対向連結しうるようにしたものである。
かかる構成により、同一種類の布団でも異なる種類の布団でも着脱自在に連結することができ、２枚の布団を重ね合わせて使用しても互いにずれるのを防止するようにしている。
【００１１】
しかしながら、特許文献１の布団に装着するボタンの位置は、布団の中央線の一方には雄ボタンを装着し、中央線の他方には雌ボタンを装着しているので、ボタンの種類（雄、雌）の付け間違いが発生し易いという問題がある。また、上下に布団を重ね合わせる場合、一方の布団に対して他方の布団を必ず１８０°回転させる必要があり、上下の布団の連結作業が煩わしいという問題があった。
特に、病院、ホテルといった多数の布団が使用される場所においては、布団の重ね合わせの作業は膨大となり、そのため、布団の連結の作業効率が非常に悪いという問題が発生していた。
【００１２】
また、多くのベッドが配されている病室においては、ベッドの周りの空間は余裕が無いのがほとんどであり、多数の布団を１８０°回転させること自体、労苦を伴う作業である。さらに、布団の中には比較的重い布団もあり、布団を１回だけ１８０°回転させる場合には問題がなくても、病室やホテルでは多数のベッドがあり、特にこのような仕事につく人は一般に女性が多いので、多くの作業を連続してこなしていくには重労働となってしまう。
【発明の開示】
【発明が解決しようとする課題】
【００１３】
本発明は上述の問題点に鑑みて提供したものであって、同一の種類や異なる種類の布団でも重ね合わせる場合に容易に上下の布団を支持固定でき、しかも、布団自体を回転させることなく、容易に連結作業が行なえるようにした布団の重ね合わせ支持装置を提供することを目的としている。
【課題を解決するための手段】
【００１４】
そこで、本発明の請求項１に記載の布団の重ね合わせ支持装置では、上下２枚の布団を重ね合わせて上下に対向したボタン同士を着脱自在に嵌着させるようにした布団の重ね合わせ支持装置において、
前記布団の周縁に一対の並設したオスボタン３０とメスボタン４０とを少なくとも１カ所以上配置していることを特徴としている。
【００１５】
請求項２に記載の布団の重ね合わせ支持装置では、上下２枚の布団を重ね合わせて上下に対向したボタン同士を着脱自在に嵌着させるようにした布団の重ね合わせ支持装置において、
前記布団の一方の面にはオス接合部５０ａが面し、他方の面にはメス接合部５０ｂが面するオス・メス両用ボタン５０を該布団の周縁に少なくとも１カ所以上配置していることを特徴としている。
【００１６】
請求項３に記載の布団の重ね合わせ支持装置では、上下２枚の布団を重ね合わせて上下に対向したボタン同士を着脱自在に嵌着させるようにした布団の重ね合わせ支持装置において、
一方の布団の周縁に一対の並設したオスボタン３０とメスボタン４０とを少なくとも１カ所以上配置し、
他方の布団の一方の面にはオス接合部５０ａが面し、他方の面にはメス接合部５０ｂが面するオス・メス両用ボタン５０を該布団の周縁に少なくとも１カ所以上配置していることを特徴としている。
【００１７】
請求項４に記載の布団の重ね合わせ支持装置では、前記２枚の布団の一方を掛布団１０とし、他方の布団を肌布団２０としていることを特徴としている。
【００１８】
請求項５に記載の布団の重ね合わせ支持装置では、前記２枚の布団を共に肌布団２０としていることを特徴としている。
【００１９】
請求項６に記載の布団の重ね合わせ支持装置では、前記一対の並設したオスボタン３０とメスボタン４０を布団の四隅にそれぞれ配置していることを特徴としている。
【００２０】
請求項７に記載の布団の重ね合わせ支持装置では、前記オス・メス両用ボタン５０を布団の四隅にそれぞれ配置していることを特徴としている。
【発明の効果】
【００２１】
本発明の請求項１に記載の布団の重ね合わせ支持装置によれば、布団の周縁に一対の並設したオスボタン３０とメスボタン４０とを少なくとも１カ所以上配置しているので、布団を上下に２枚重ね合わせた場合に、上下いずれか一方の布団のボタン３０、４０の部分を折り返すことで、上下のオスボタン３０とメスボタン４０とが対向し、両ボタン３０、４０を着脱自在に嵌着させることができる。また、下側の布団が汚れて裏返して使用する場合には、上下のボタン３０、４０は嵌着可能に対向した状態となり、布団の一部を折り返すことなくスムーズに両ボタン３０、４０をそのまま着脱自在に嵌着させることができる。これにより、上下の布団同士を着脱自在に支持固定することができ、寝返りをうっても上下の布団がずれるのを防止することができる。また、上側の布団を掛布団１０とし、下側の布団を肌布団２０とした場合や、上下の布団を共に肌布団２０とした場合でも、布団の種類が異なる場合や種類が同一の場合でも、容易に重ね合わせて上下の布団を支持固定することができる。
また、従来のように肌布団２０を１８０°回転させることなく、肌布団２０同士をそのまま、あるいはコーナー部分を折り返すだけでオスボタン３０とメスボタン４０を接合することができる。したがって、病院やホテルなどにおいて多数の布団を重ね合わせる場合には、短時間の作業で行なうことができ、作業効率を向上させることができる。
さらに、病室内に多数のベッドがある場合で、ベッドの周囲にあまり空間が無い場合でも、軽作業で且つ効率良く布団の重ね合わせ作業を行なうことができる。
【００２２】
請求項２に記載の布団の重ね合わせ支持装置によれば、布団の一方の面にはオス接合部５０ａが面し、他方の面にはメス接合部５０ｂが面するオス・メス両用ボタン５０を該布団の周縁に少なくとも１カ所以上配置しているので、布団を上下に２枚重ね合わせた場合に、上側の布団のメス接合部５０ｂと下側の布団のオス接合部５０ａとが嵌着可能に対向している状態となり、そのため、上下のオス・メス両用ボタン５０をそのまま着脱自在に嵌着させることができる。また、下側の布団が汚れて裏返して使用する場合には、上下いずれか一方の布団のオス・メス両用ボタン５０の部分を折り返すことで、上下のオス・メス両用ボタン５０が対向し、両ボタン５０、５０を着脱自在に嵌着させることができる。これにより、上下の布団同士を着脱自在に支持固定することができ、寝返りをうっても上下の布団がずれるのを防止することができる。また、上側の布団を掛布団１０とし、下側の布団を肌布団２０とした場合や、上下の布団を共に肌布団２０とした場合でも、布団の種類が異なる場合や種類が同一の場合でも、容易に重ね合わせて上下の布団を支持固定することができる。
また、従来のように肌布団２０を１８０°回転させることなく、肌布団２０同士をそのまま、あるいはコーナー部分を折り返すだけでオスボタン３０とメスボタン４０を接合することができる。したがって、病院やホテルなどにおいて多数の布団を重ね合わせる場合には、短時間の作業で行なうことができ、作業効率を向上させることができる。
さらに、病室内に多数のベッドがある場合で、ベッドの周囲にあまり空間が無い場合でも、軽作業で且つ効率良く布団の重ね合わせ作業を行なうことができる。
さらに、布団に上記オス・メス両用ボタン５０を装着しているので、一対のオスボタン３０とメスボタン４０とを装着している場合と比べて、オス・メス両用ボタン５０の取り付け工程は半分となり、特に布団を大量生産する場合、作業効率を大幅に向上させることができる。これにより製造コストを下げることができて、消費者には朗報となる。
【００２３】
請求項３に記載の布団の重ね合わせ支持装置によれば、一方の布団の周縁に一対の並設したオスボタン３０とメスボタン４０とを少なくとも１カ所以上配置し、他方の布団の一方の面にはオス接合部５０ａが面し、他方の面にはメス接合部５０ｂが面するオス・メス両用ボタン５０を該布団の周縁に少なくとも１カ所以上配置しているので、２枚の布団を重ね合わせる場合、例えば下側の布団のオス・メス両用ボタン５０の上面はオス接合部５０ａとなっており、例えば上側の布団のメスボタン４０が対向しているので、上側の布団のメスボタン４０と下側の布団のオス接合部５０ａとを嵌着させることで、上下の布団２０同士を着脱自在に支持固定することができる。この場合、上下の布団のボタンの部分を折り返すことなく両ボタン４０、５０を嵌着させることができる。
また、例えば上側の布団のメスボタン４０が１つ外れて無い場合には、下側の布団のボタン５０の部分を折り返すことで、オス・メス両用ボタン５０のメス接合部５０ｂと、上側の肌布団２０のオスボタン３０のオス接合部３０ｂとを対向させることができる。したがって、このようにメスボタン４０が脱落した場合でも、臨機応変に上下の布団同士を確実に支持固定することができる。
【００２４】
請求項４に記載の布団の重ね合わせ支持装置によれば、前記２枚の布団の一方を掛布団１０とし、他方の布団を肌布団２０としているので、掛布団１０と肌布団２０といった種類が異なる布団１０、２０同士でも確実に支持固定することができる。
【００２５】
請求項５に記載の布団の重ね合わせ支持装置によれば、前記２枚の布団を共に肌布団２０としているので、従来、肌布団２０同士では支持固定できなかったが、本発明により肌布団２０と肌布団２０といった種類が同一の場合でも確実に支持固定することができる。
【００２６】
請求項６に記載の布団の重ね合わせ支持装置によれば、前記一対の並設したオスボタン３０とメスボタン４０を布団の四隅にそれぞれ配置しているので、２枚の布団を重ね合わせた場合に、布団がずれるのを確実に防止することができる。また、布団の形状は矩形状のため、ボタン３０、４０の位置は布団の四隅の４カ所で十分であり、一対のボタン３０、４０を５カ所以上設ける場合と比べてコストを安価にすることができる。
【００２７】
請求項７に記載の布団の重ね合わせ支持装置によれば、前記オス・メス両用ボタン５０を布団の四隅にそれぞれ配置しているので、２枚の布団を重ね合わせた場合に、布団がずれるのを確実に防止することができる。また、布団の形状は矩形状のため、オス・メス両用ボタン５０の位置は布団の四隅の４カ所で十分であり、オス・メス両用ボタン５０を５カ所以上設ける場合と比べてコストを安価にすることができる。
【発明を実施するための最良の形態】
【００２８】
以下、本発明の実施の形態を図面を参照して詳細に説明する。なお、従来と同一の機能を発揮する要素には同一の番号を付して説明していく。図１（ａ）は掛布団１０の平面図を示し、図１（ｂ）は該掛布団１０の断面図を示している。また、図２は掛布団１０の背面図（裏面）を示している。
なお、肌布団２０の場合も同様であり、肌布団２０に対して掛布団１０の方が厚めの場合も、また、掛布団１０でも肌布団２０に対してほぼ同じ厚めの場合や、逆に薄めの場合もある。図１及び図２では掛布団１０として説明するが、肌布団２０の場合も同様である。
【００２９】
掛布団１０は周知のように、表地１１と裏地１２との間に中綿１３が装填されており、周囲は所定の寸法幅、例えば４ｃｍ幅のヘム部１４が形成されている。このヘム部１４は表地１１と裏地１２のみ、あるいは表地１１と裏地１２の両面に掛けてヘム布を縫合して形成する場合もある。このヘム部１４の内部には中綿１３は装填されていない。
ヘム部１４以外は表地１１と裏地１２とを糸１５にて縫合し、内部の中綿１３がずれないように例えば格子状にキルティング加工を施している。
【００３０】
掛布団１０の四隅のヘム部１４にオスボタン３０とメスボタン４０とが並べて装着されており、この例では外側にオスボタン３０を、内側にメスボタン４０を斜めに設けている。このオスボタン３０及びメスボタン４０は従来例で説明したのと同じタイプのものであり、オスボタン３０及びメスボタン４０共にその頭部３０ａ、４０ａを表面側に配している。
そして、図２に示すように、掛布団１０の裏面側にオスボタン３０及びメスボタン４０のオス接合部３０ｂとメス接合部４０ｂが配された形となっている。また、従来と同様にオスボタン３０のオス接合部３０ｂ、メスボタン４０のメス接合部４０ｂには分かり易いように多数のドットで描いている。
【００３１】
オスボタン３０とメスボタン４０の配置は、斜めに限らず、図３に示すように上下方向に配置したり、図４に示すように横方向に配置したり、あるいは図５に示すように図１の場合とは逆の斜め方向に配置しても良いものである。また、オスボタン３０とメスボタン４０との位置を逆にして配置しても良い。
【００３２】
次に、２枚の布団を重ね合わせた場合の布団同士の支持固定（連結）について具体的に説明していく。図６は同一の種類の場合、すなわち、肌布団２０同士を重ね合わせた場合であり、肌布団２０の表面は共に、オスボタン３０の頭部３０ａ、メスボタン４０の頭部４０ａが位置しているので、上下の肌布団２０をそのまま重ね合わせてもオスボタン３０とメスボタン４０同士する嵌着（接合）ことができない。
そこで、図７に示すように、下側の肌布団２０のコーナー部分をそれぞれ折り返して、オスボタン３０とメスボタン４０のオス接合部３０ｂとメス接合部４０ｂを表面側に位置させる。
【００３３】
これにより、上側の肌布団２０のオスボタン３０とメスボタン４０のオス接合部３０ｂ及びメス接合部４０ｂと、下側のオスボタン３０とメスボタン４０のオス接合部３０ｂ及びメス接合部４０ｂとがそれぞれ対向することになる。この場合、オスボタン３０のオス接合部３０ｂと、メスボタン４０のメス接合部４０ｂとがそれぞれ接合可能に対向しているので、どちらのボタンで接合しても良いが、両方のボタン３０、４０共に接合させることで、支持固定を強固にすることができる。
【００３４】
また、２枚の肌布団２０を重ね合わせて使用している場合に、下側の肌布団２０の裏面が汚れてきた場合などは、上下のオスボタン３０とメスボタン４０とを外して下側の肌布団２０を裏返して使用する。この場合、下側の肌布団２０を裏返すとオスボタン３０とメスボタン４０のオス接合部３０ｂとメス接合部４０ｂが上面に位置することになり、上下の肌布団２０を重ね合わせて接合する場合、先の実施形態とは異なり肌布団２０のコーナー部分を折り返すことなくオスボタン３０とメスボタン４０とを接合することができる。
【００３５】
このようにして本実施形態では、肌布団２０同士という同一の種類の布団であっても、上下のオスボタン３０とメスボタン４０とを接合することで、上下の肌布団２０同士を着脱自在に支持固定することができる。これにより、寝返りをうっても上下の肌布団２０がずれることはない。
【００３６】
また、従来のように肌布団２０を１８０°回転させることなく、肌布団２０同士をそのまま、あるいはコーナー部分を折り返すだけでオスボタン３０とメスボタン４０を接合することができる。したがって、病院やホテルなどにおいて多数の布団を重ね合わせる場合には、短時間の作業で行なうことができ、作業効率を向上させることができる。
さらに、病室内に多数のベッドがある場合で、ベッドの周囲にあまり空間が無い場合でも、軽作業で且つ効率良く布団の重ね合わせ作業を行なうことができる。
【００３７】
図８は肌布団２０のコーナー部分にオス・メス両用ボタン５０を１個装着した場合である。このオス・メス両用ボタン５０は図９（特に図９（ｂ））に示すような構造となっており、ヘム部１４の上下からオス部５１とメス部５３とを嵌着させており、オス部５１の上面には突部５２が形成され、また、メス部５３には凹部５４が凹設されている。
上記オス部５１の突部５２がメスボタン４０のメス接合部４０ｂと着脱自在に接合するようになっており、また、メス部５３の凹部５４がオスボタン３０のオス接合部３０ｂと着脱自在に接合するようになっている。
【００３８】
ここで、図９（ａ）に示すように、オス・メス両用ボタン５０の突部５２をオス接合部５０ａとして黒丸で表示する。また、凹部５４をメス接合部５０ｂとして白丸で表示する（図９（ｃ）参照）。
図８（ａ）は肌布団２０の平面図（表面）を示し、同図（ｂ）は肌布団２０の背面図（裏面）を示しており、肌布団２０の表面側にオス接合部５０ａが、裏面側にメス接合部５０ｂが位置するようにオス・メス両用ボタン５０を肌布団２０の四隅に配置している。
【００３９】
図１０は前記オス・メス両用ボタン５０を装着した肌布団２０同士を上下に重ね合わせて連結する場合を示しており、上側の肌布団２０のオス・メス両用ボタン５０の下面はメス接合部５０ｂとなっており、下側の肌布団２０のオス・メス両用ボタン５０の上面はオス接合部５０ａとなっている。
そのため、肌布団２０を上下にそのまま重ね合わせた状態で上下のオス・メス両用ボタン５０を嵌着するだけで、上下の肌布団２０を支持固定することができる。
【００４０】
図１１は下側の肌布団２０を裏返して使用する場合を示し、下側の肌布団２０を裏返すと肌布団２０のオス・メス両用ボタン５０の上面はメス接合部５０ｂとなり、上側の肌布団２０のオス・メス両用ボタン５０の下面もメス接合部５０ｂとなる。
そこで、上側の肌布団２０のコーナー部分を裏面側側に折り返すと、上側の肌布団２０のコーナー部分の下面はオス・メス両用ボタン５０のオス接合部５０ａが面することになり、上下のオス・メス両用ボタン５０はオス接合部５０ａとメス接合部５０ｂとが対向することになる。そして、そのまま上下のオス・メス両用ボタン５０を嵌着させることで、上下の肌布団２０同士を着脱自在に支持固定することができる。
【００４１】
図１２は上側の肌布団２０にはオスボタン３０とメスボタン４０を装着した場合で、下側の肌布団２０にはオス・メス両用ボタン５０を装着した場合を示している。この２枚の肌布団２０を重ね合わせる場合、図１３に示すように、下側の肌布団２０のオス・メス両用ボタン５０の上面はオス接合部５０ａとなっており、上側の肌布団２０のオスボタン３０とメスボタン４０の下面はオス接合部３０ｂとメス接合部４０ｂの両方が対向しているので、上側の肌布団２０のメス接合部４０ｂと下側の肌布団２０のオス接合部５０ａとを嵌着させることで、上下の肌布団２０同士を着脱自在に支持固定することができる。この場合、上下の肌布団２０のコーナー部分を折り返すことなく両ボタン４０、５０を嵌着させることができる。
【００４２】
図１４は上側の肌布団２０のメスボタン４０が１つ外れて無い場合を示しており、かかる場合には、下側の肌布団２０のコーナー部分を折り返すことで、オス・メス両用ボタン５０のメス接合部５０ｂと、上側の肌布団２０のオスボタン３０のオス接合部３０ｂとを対向させることができる。
したがって、このようにメスボタン４０が脱落した場合でも、臨機応変に下側の肌布団２０のコーナー部分を折り返して使用することで、上下の肌布団２０同士を確実に支持固定することができる。
【００４３】
図１５は下側の肌布団２０の下面が汚れて裏返して使用する場合を示し、下側の肌布団２０を裏返した場合、オス・メス両用ボタン５０の上面はメス接合部５０ｂとなる。上側の肌布団２０の下面はオスボタン３０のオス接合部３０ｂがメス接合部５０ｂと対向しているので、オスボタン３０とオス・メス両用ボタン５０とをそのまま嵌着させることができる。この場合は、上下の肌布団２０のコーナー部分は折り返すことなく両ボタン３０、５０を嵌着させることができる。したがって、作業性が良い。
【００４４】
図１６は、上側の肌布団２０は従来例で説明した肌布団であり、既存の肌布団の場合で、下側の肌布団２０は上述した本発明の肌布団である。この場合、上側の肌布団２０のメスボタン４０の下面は平らな頭部４０ａであり、また、下側の肌布団２０のオスボタン３０とメスボタン４０の上面も平ら頭部３０ａ、４０ａのため、図１７に示すように上下共に肌布団２０のコーナー部分を折り返す必要がある。
上下の肌布団２０のコーナー部分を折り返すと、上側の肌布団２０の下面はメス接合部４０ｂとなり、下側の肌布団２０の上面はオス接合部３０ｂとなって、メス接合部４０ｂとオス接合部３０ｂとが対向する。そして、上下のメス接合部４０ｂとオス接合部３０ｂを嵌着させることで、上下の肌布団２０を支持固定することができる。
【００４５】
図１８は既存の肌布団２０に対して、オス・メス両用ボタン５０を装着した肌布団２０を重ね合わせる場合である。この場合、図１９に示すように上側の肌布団２０のコーナー部分を折り返すことで、下側の肌布団２０のオス・メス両用ボタン５０のオス接合部５０ａにメスボタン４０のメス接合部４０ｂを対向させることができる。
【００４６】
図１６〜図１９に示す実施形態では、既存のメスボタン４０のみを装着した肌布団２０に対して、一対のオスボタン３０とメスボタン４０を設けた肌布団２０、あるいはオス・メス両用ボタン５０を設けた肌布団２０を重ね合わせた場合にでも、上下のボタン同士を嵌着させることができる。これにより、上下２枚の同一の種類の肌布団２０同士を確実に支持固定できて、上下の肌布団２０がずれるのを確実に防止することができる。
【００４７】
図２０は既存の掛布団１０と肌布団２０を重ね合わせる場合を示し、既存の掛布団１０にはオスボタン３０が装着され、下側の肌布団２０のコーナー部分にはオスボタン３０とメスボタン４０が装着されている。この場合、図２１に示すように、下側の肌布団２０のコーナー部分を折り返すことで、下側のメスボタン４０のメス接合部４０ｂと上側の掛布団１０のオスボタン３０のオス接合部３０ｂとを対向させることができる。
なお、下側の肌布団２０を裏返して使用する場合には、上側のオス接合部３０ｂと下側のメス接合部４０ｂとが対向するので、下側の肌布団２０のコーナー部分を折り返すことなく両ボタン３０、４０を嵌着させることができる。
【００４８】
図２２は、既存の掛布団１０に対してオス・メス両用ボタン５０を装着した肌布団２０の場合を示している。この場合、下側の肌布団２０のオス・メス両用ボタン５０の上面はオス接合部５０ａとなっているので、図２３に示すように、下側の肌布団２０のコーナー部分を折り返すことで、オス・メス両用ボタン５０のメス接合部５０ｂが上面となり、上側のオスボタン３０のオス接合部３０ｂと対向させることができる。
また、下側の肌布団２０を裏返して使用する場合には、上側のオス接合部３０ｂと下側のメス接合部５０ｂとが対向するので、下側の肌布団２０のコーナー部分を折り返すことなく両ボタン３０、５０を嵌着させることができる。
【００４９】
なお、図２０〜図２３において、掛布団１０を既存の掛布団として説明したが、肌布団２０の場合と同様に、掛布団１０に一対のオスボタン３０とメスボタン４０を装着したり、あるいはオス・メス両用ボタン５０を装着して掛布団１０を形成するようにしても良い。
【００５０】
また、布団１０、２０のボタン３０、４０、５０の配置位置も先の説明では、各コーナー部分に設けていたが、４カ所以上に設けても良い。例えば、布団１０、２０の左右の長い辺には、上下以外に２つボタン３０、４０、５０を装着したり、天地の部分の短い辺の中央にボタン３０、４０、５０をそれぞれ装着するようにしても良い。
また、ボタン３０、４０、５０の配置箇所は１カ所から３カ所でも良いが、上下の布団を重ね合わせた場合の形状が矩形状の布団のズレの防止という観点からいえば、布団の四隅に配置するのが、コスト的にも好適例である。
【００５１】
このように各実施形態において、掛布団１０と肌布団２０という種類の異なる布団でも、また、肌布団２０と肌布団２０という種類が同一の布団の場合でもオスボタン３０とメスボタン４０の一対のボタンを設けることで、あるいはオス・メス両用ボタン５０のボタンを設けることで、上下の布団を確実に支持固定することができる。
また、上下の布団のコーナー部分を折り返すことなく、あるいはコーナー部分を折り返すだけで、従来のように布団を１８０°回転させることなく、上下のボタンを嵌着させることができる。これにより上下の布団同士を確実に支持固定することができる。また、図６及び図７のところで述べた効果も当然有しているものである。
【００５２】
なお、上記の各実施形態において、オスボタン３０とメスボタン４０はヘム部１４の上面に頭部３０ａ、４０ａが位置し、ヘム部１４の下面にオス接合部３０ｂとメス接合部４０ｂが位置する構造のものとして説明したが、かかる構造のボタンに限られるものではない。例えば、生地の上面に頭部が露出せず、接合部が生地の一方の面に設けられる形状のボタンでも良い。
【００５３】
また、上記各実施形態において、各ボタン３０、４０、５０の取り付けは、表裏を逆に取り付けても良い。
【００５４】
さらに、布団１０、２０に上記オス・メス両用ボタン５０を装着している実施形態においては、一対のオスボタン３０とメスボタン４０とを装着している場合と比べて、オス・メス両用ボタン５０の取り付け工程は半分となり、特に布団１０、２０を大量生産する場合、作業効率を大幅に向上させることができる。これにより製造コストを下げることができて、消費者には朗報となる。
【図面の簡単な説明】
【００５５】
【図１】（ａ）（ｂ）は本発明の実施の形態における掛布団（肌布団）の平面図及び断面図である。
【図２】本発明の実施の形態における掛布団の背面図である。
【図３】本発明の実施の形態におけるボタンの配置位置の他の例を示す掛布団の平面図である。
【図４】本発明の実施の形態におけるボタンの配置位置のさらに他の例を示す掛布団の平面図である。
【図５】本発明の実施の形態におけるボタンの配置位置の別の例を示す掛布団の平面図である。
【図６】本発明の実施の形態におけるオスボタンとメスボタンを設けた肌布団同士を重ね合わせる場合の説明図である。
【図７】本発明の実施の形態におけるオスボタンとメスボタンを設けた肌布団同士を重ね合わせる場合の説明図である。
【図８】（ａ）（ｂ）は本発明の実施の形態におけるオス・メス両用ボタンを設けた場合の肌布団の平面図及び背面図である。
【図９】（ａ）〜（ｃ）は本発明の実施の形態におけるオス・メス両用ボタンの構成を示す図である。
【図１０】本発明の実施の形態におけるオス・メス両用ボタンを設けた肌布団同士を重ね合わせる場合の説明図である。
【図１１】本発明の実施の形態におけるオス・メス両用ボタンを設けた肌布団同士を重ね合わせる場合の説明図である。
【図１２】本発明の実施の形態におけるオスボタンとメスボタンを設けた肌布団とオス・メス両用ボタンを設けた肌布団を重ね合わせる場合の説明図である。
【図１３】本発明の実施の形態におけるオスボタンとメスボタンを設けた肌布団とオス・メス両用ボタンを設けた肌布団を重ね合わせる場合の説明図である。
【図１４】本発明の実施の形態におけるメスボタンを無くした肌布団とオス・メス両用ボタンを設けた肌布団を重ね合わせる場合の説明図である。
【図１５】本発明の実施の形態における下側の肌布団を裏返して重ね合わせる場合の説明図である。
【図１６】本発明の実施の形態における既存の肌布団と重ね合わせる場合の説明図である。
【図１７】本発明の実施の形態における既存の肌布団と重ね合わせる場合の説明図である。
【図１８】本発明の実施の形態における既存の肌布団と重ね合わせる場合の説明図である。
【図１９】本発明の実施の形態における既存の肌布団と重ね合わせる場合の説明図である。
【図２０】本発明の実施の形態における既存の掛布団と重ね合わせる場合の説明図である。
【図２１】本発明の実施の形態における既存の掛布団と重ね合わせる場合の説明図である。
【図２２】本発明の実施の形態における既存の掛布団と重ね合わせる場合の説明図である。
【図２３】本発明の実施の形態における既存の掛布団と重ね合わせる場合の説明図である。
【図２４】従来例の掛布団と肌布団とを重ね合わせる場合の説明図である。
【図２５】従来例の掛布団と肌布団とを重ね合わせる場合の説明図である。
【図２６】従来例の肌布団と肌布団とを重ね合わせる場合の説明図である。
【符号の説明】
【００５６】
１０  掛布団
２０  肌布団
３０  オスボタン
３０ｂ  オス接合部
４０  メスボタン
４０ｂ  メス接合部
５０  オス・メス両用ボタン
５０ａ  オス接合部
５０ｂ  メス接合部
【図１】
2006020826.tif 000003
【図２】
2006020826.tif 000004
【図３】
2006020826.tif 000005
【図４】
2006020826.tif 000006
【図５】
2006020826.tif 000007
【図６】
2006020826.tif 000008
【図７】
2006020826.tif 000009
【図８】
2006020826.tif 000010
【図９】
2006020826.tif 000011
【図１０】
2006020826.tif 000012
【図１１】
2006020826.tif 000013
【図１２】
2006020826.tif 000014
【図１３】
2006020826.tif 000015
【図１４】
2006020826.tif 000016
【図１５】
2006020826.tif 000017
【図１６】
2006020826.tif 000018
【図１７】
2006020826.tif 000019
【図１８】
2006020826.tif 000020
【図１９】
2006020826.tif 000021
【図２０】
2006020826.tif 000022
【図２１】
2006020826.tif 000023
【図２２】
2006020826.tif 000024
【図２３】
2006020826.tif 000025
【図２４】
2006020826.tif 000026
【図２５】
2006020826.tif 000027
【図２６】
2006020826.tif 000028